Podtech/llm-jp-corpus-v4-ja_patent huggingface dataset:
【手続補正書】
【提出日】平成17年3月4日(2005.3.4)
【手続補正１】
【補正対象書類名】明細書
【補正対象項目名】特許請求の範囲
【補正方法】変更
【補正の内容】
【特許請求の範囲】
【請求項１】
各動作モードが異なる変調タイプに対応する２つあるいはそれより多くの異なる動作モードをサポートする能力を持つ変調器であって、
直列データ流を受信するための一つの入力および一つの出力を含むm−レベル位相シフトキーイング（m−PSK）変調器と、
前記m−PSK変調器の出力に結合された前記m−PSK変調器によって生成された出力信号の位相を少なくとも第一の動作モードにおける第一の変調タイプに対応する第一の所定の値と第二の動作モードにおける第二の変調タイプに対応する第二の所定の値の一方だけ回転させるための位相ロテータと、
前記位相ロテータに結合されたパルス整形フィルタと、
前記位相ロテータに結合された前記変調器を前記第一と第二の動作モードの間でスイッチングするためのコントローラとを備えることを特徴とする変調器。
【請求項２】
前記第一の変調タイプがGMSK（ガウシアンフィルタド平均シフトキーイング）から成り、前記第二の変調タイプがEDGE（GSM進化のためのエンハンスドデータレート）から成ることを特徴とする請求項１記載の変調器。
【請求項３】
前記パルス整形フィルタが線形ガウス応答を与えるように構成されることを特徴とする請求項１記載の変調器。
【請求項４】
さらに、前記m−PSK変調器の入力に結合された送信バッファを備え、この送信バッファが前記直列データ流の一部を少なくとも一時的に格納することを特徴とする請求項１記載の変調器。
【請求項５】
前記m−PSK変調器が前記入力データ流に対応する複数の所定の位相を格納するための読出専用メモリ（ROM）を備えることを特徴とする請求項１記載の変調器。
【請求項６】
前記位相ロテータが、
第一と第二の入力および一つの出力を持つ加算器であって、前記第一の入力が前記m−PSK変調器の出力に結合される加算器と、
前記加算器の第二の入力に結合されたランプ発生器であって、前記コントローラに応答して少なくとも前記第一の動作モードにおける第一の傾きと前記第二の動作モードにおける第二の傾きの一方を持つ位相ランプ信号を選択的に生成するランプ発生器と、を備えることを特徴とする請求項１記載の変調器。
【請求項７】
前記ランプ発生器が前記位相ランプ信号を生成するためのカウンタを備え、このカウンタがプログラマブルであり、コントローラに応答して少なくとも前記第一の傾きと第二の傾きの一方に対応する刻みサイズを選択することを特徴とする請求項６記載の変調器。
【請求項８】
前記第一の傾きが１刻みπ／２ラジアンであり、前記第二の傾きが１刻み３π／８ラジアンであることを特徴とする請求項６記載の変調器。
【請求項９】
２つあるいはそれより多くの異なる変調タイプをサポートする半導体デバイスであって、
入力データ流に関して第一のタイプの変調を遂行するための１つあるいはそれより多くのサブ回路を含む第一の変調器と、
前記入力データ流に関して第二のタイプの変調を遂行するための前記第一の変調器と共通の少なくとも一つのサブ回路を含む第二の変調器であって、前記共通のサブ回路が少なくとも前記第一の変調タイプに対応する第一の動作モードと前記第二の変調タイプに対応する第二の動作モードの少なくとも一方にて動作する第二の変調器と、
前記第一と第二の変調器に結合されたコントローラであって、少なくとも一つの制御信号に応答して少なくとも前記第一と第二の動作モードの間で選択的にスイッチングするコントローラと、を備えることを特徴とする半導体デバイス。
【請求項１０】
信号を少なくとも第一の変調タイプと第二の変調タイプの一方にて選択的に変調するための方法であって、
m−レベル位相シフトキーイング（m−PSK）変調器を配備するステップであって、このm−PSK変調器が少なくとも第一の変調モードと第二の変調モードの一方にて動作し、第一の変調モードにおいてはこの変調器が前記第一の変調タイプに対応する第一の位相マッピングを採用し、第二の変調モードにおいてはこのm−PSK変調器が前記第二の変調タイプに対応する第二の位相マッピングを採用するステップと、
入力直列データ流を前記m−PSK変調器を前記第一あるいは第二の動作モードの一方にて用いることで変調し、m−PSK変調された信号を生成するステップと、
前記m−PSK変調された信号の位相を前記第一の動作モードにおける第一の所定の位相回転値あるいは前記第二の動作モードにおける第二の所定の位相回転値の一方だけ回転させ、位相回転された信号を生成するステップと、
前記位相回転された信号をパルス整形フィルタを用いてフィルタリングするステップとを含むことを特徴とする方法。
【手続補正書】
【提出日】平成16年9月14日(2004.9.14)
【手続補正１】
【補正対象書類名】明細書
【補正対象項目名】特許請求の範囲
【補正方法】変更
【補正の内容】
【特許請求の範囲】
【請求項１】
記憶装置システムであって、
第１の記憶装置コンポーネントを有する第１のコンピュータシステムと、
第２の記憶装置コンポーネントを有する第２のコンピュータシステムとを含み、
第１および第２の記憶装置コンポーネントはデータネットワークによってデータを交換するように構成されており、
第１のコンピュータシステムは、データのブロックを第１の記憶装置コンポーネントに書込み、データパケットを第２のコンピュータシステムに伝送するためにプログラムコードで構成されたメモリを有しており、データパケットはデータブロック、タイムスタンプおよびシーケンス番号を含むものであり、
第２のコンピュータシステムは、第１のコンピュータシステムからデータパケットを受信し、データパケットに含まれているタイムスタンプおよびシーケンス番号に基づき候補データパケットを選択し、候補データパケットを第２の記憶装置システムに書込むようにプログラムコードにより構成されたメモリを有しており、
ここにおいて、第１の記憶装置コンポーネントに書込まれるデータのブロックは、第１の記憶装置コンポーネントにおけると同じ順序で第２の記憶装置コンポーネントに書込まれるものである、システム。
【請求項２】
第２のメモリがさらに、タイムスタンプの中からそれらの対応するシーケンス番号に基づきリミットタイムスタンプを取得し、それらの対応するタイムスタンプをリミットタイムスタンプと比較することによってデータパケットの中から候補データパケットを選択するようにプログラムコードにより構成されている、請求項１記載のシステム。
【請求項３】
データネットワークがコネクションレス型ネットワークである、請求項１記載のシステム。
【請求項４】
データパケットがそれらが送信されたものと同じ順序で受信されると保証できないものとしてデータネットワークが特徴づけられる、請求項１記載のシステム。
【請求項５】
データネットワークがワイドエリアネットワークである、請求項４記載のシステム。
【請求項６】
第１の記憶装置コンポーネントが複数の第１のデータ記憶装置よりなり、第２の記憶装置コンポーネントが複数の第２のデータ記憶装置よりなり、第１のデータ記憶装置の各々は第２のデータ記憶装置の１個と対応しており、ここにおいて、第１のデータ記憶装置の１個に格納されたデータが対応する第２のデータ記憶装置の１個にも格納される、請求項１記載のシステム。
【請求項７】
第１の記憶装置コンポーネントが複数の第１のディスクシステムよりなり、第２の記憶装置コンポーネントが複数の第２のディスクシステムよりなり、第１のディスクシステムは各々第２のディスクシステムの１個以上と関係づけられており、ここにおいて、第１のディスクシステムのうちの１個に格納されたデータが関係する１個以上の第２のディスクシステムにも格納される、請求項１記載のシステム。
【請求項８】
第１のディスクシステムの各々が複数の第１のディスク装置よりなり、第２のディスクシステムの各々が複数の第２のディスク装置よりなり、第１のディスク装置の各々は第２のディスク装置の１個と関係づけられている、請求項７記載のシステム。
【請求項９】
第１のディスク装置は各々、第１のディスク装置が属する第１のディスクシステムとは独立に、第２のディスク装置のうちの１個と関係づけられている、請求項８記載のシステム。
【請求項１０】
ローカルシステムに含まれるデータをリモートシステムにバックアップする方法であって、
データのブロックをローカルデータ記憶装置に書込むことと、
データパケットをリモートシステムに送信することと、データパケットはデータのブロック、タイムスタンプおよびシーケンス番号を含むものであり、
ローカルシステムからデータパケットを受信することと、
そのデータのブロックがリモートデータ記憶装置に書込まれるデータパケットを、データパケットのシーケンス番号およびタイムスタンプに基づき選択することとを含む、方法。
【請求項１１】
次のデータパケットのシーケンス番号を増分することをさらに含む、請求項１０記載の方法。
【請求項１２】
データパケットを選択することが、タイムスタンプの中からそれらの関係するシーケンス番号に基づきリミットタイムスタンプを取得することと、それらの関係するタイムスタンプをリミットタイムスタンプと比較することによってデータパケットの中からそのデータパケットを選択することを含む、請求項１０記載の方法。
【請求項１３】
ローカルデータ記憶装置が複数のローカルディスク装置よりなり、リモートデータ記憶装置が複数のリモートディスク装置よりなり、各ローカルディスク装置がリモートコピーペアを規定するためにリモートディスク装置の１個と対にされている、請求項１０記載の方法。
【請求項１４】
ローカルディスク装置にデータの複数のブロックを書込むことと、各リモートディスク装置がその関係する複数のデータパケットに基づくシーケンス番号のリストを有するようにリモートディスク装置に複数のデータパケットを送信することとをさらに含み、該方法はさらに、シーケンス番号の各リストについて、シーケンス番号の最も長い連続を取得することと、その最も長い連続から最高値のシーケンス番号を取得することと、最高値のシーケンス番号に対応するタイムスタンプを取得することと、それによって、タイムスタンプのリストを生成することとを含み、該方法はさらに、タイムスタンプのリストの中で最早タイムスタンプに基づきデータパケットを選択することを含む、請求項１３記載の方法。
【請求項１５】
ローカルデータ記憶装置が複数のローカルディスクシステムよりなり、リモートデータ記憶装置が複数のリモートディスクシステムよりなり、各ローカルディスクシステムが１個以上のリモートディスクシステムと関係づけられており、ここにおいて、ローカルディスクシステムの１個以上に格納されたデータが、関係する１個以上のリモートディスクシステムにも格納される、請求項１０記載の方法。
【手続補正書】
【提出日】平成16年10月14日(2004.10.14)
【手続補正１】
【補正対象書類名】明細書
【補正対象項目名】００５７
【補正方法】変更
【補正の内容】
【００５７】
２つの部分的デコーダー（復号器）モジュール５３０と５５０は、I/Oデータバス５６０からデータを入力とし、バス５２０'に接続されている格納媒体上にCPU５１０によって格納するためのデータを出力として、DVデータとMPEG-2 データのフレームをそれぞれに取り込み、他方エンコーダーモジュール５２０は単純に格納媒体４１０上にＤＶデータとして格納されているなまのＤＣＴ係数をエンコードしてＩ／Ｏデータバス５６０上に出力する。エンコーダーモジュール５４０は、格納媒体４１０（図４）上に格納されているなまのDCT係数をMPEG-2 DCT係数に再量子化し、I/Oデータバス５６０上に出力用のMPEG-2 データとして符号化する。
【手続補正２】
【補正対象書類名】明細書
【補正対象項目名】０１３０
【補正方法】変更
【補正の内容】
【０１３０】
ここに、a = (1024  /  (2 * 724 ) ) はスケーリンファクターであり、 Ｈ は定数マトリックスであって、一定のDCオフセットを相殺するものであり、CT はブロックのトップ部分からの係数のマトリックスであり、 CB はブロックのボトム部分からの係数のマトリックスである。
【手続補正３】
【補正対象書類名】明細書
【補正対象項目名】０１４５
【補正方法】変更
【補正の内容】
【０１４５】
ステップ６０９から６１４では、DVブロックが符号化され量子化される。ステップ６１０ではDC係数が符号化される。ステップ６１１では、AC係数が可変長で符号化される。各ブロックの符号化は、ステップ６１４で、６４個の係数が符号化されるまで続けられる。これが起こると、コントロールはステップ６０９に移って次のブロックを符号化する。ステップ６０９で８個のブロックが符号化されると、コントロールはステップ６０６に移って次のマクロブロックを符号化する。ビデオフレーム（１つのスライス）に広がっているイメージピクセルに対応する数のマクロブロックが符号化されると、コントロールはステップ６０４に移って次のスライスが符号化される。
【手続補正書】
【提出日】平成16年7月9日(2004.7.9)
【手続補正１】
【補正対象書類名】明細書
【補正対象項目名】特許請求の範囲
【補正方法】変更
【補正の内容】
【特許請求の範囲】
【請求項１】
複数の記録メディアを同じ時期にアクセスする情報記録再生装置において、
第1の記録メディアの情報記録状態から第２の記録メディアの情報記録状態に遷移する場合、繋ぎ部分の情報として、前記第1と第2のメディアの両方にそれぞれオーバーラップ期間記録情報を記録し、
前記第１の記録メディアの再生用管理情報には、前記オーバーラップ期間記録情報の開始位置を示すエントリーポイント情報を記録し、前記第２の記録メディアの再生用管理情報には、前記オーバーラップ期間記録情報の終了位置を示すエントリーポイント情報を記録し、
前記第2の記録メディアの再生用管理情報の中の前記終了位置を示すエントリーポイント情報は、前記オーバーラップ期間記録情報をスキップさせるためのスキップ処理用情報として用いることを特徴とする複数の記録メディアの映像記録再生方法。
【請求項２】
前記第１の記録メディアは、前記情報記録再生装置に対してリムーバブルな光ディスクであり、前記第２の記録メディアは、前記情報記録再生装置に内蔵されたハードディスクであることを特徴とする請求項１記載の複数の記録メディアの映像記録再生方法。
【請求項３】
複数の記録メディアを同じ時期にアクセスする情報記録再生装置において、
第1の記録メディアの情報記録状態から第2の記録メディアの情報記録状態に遷移する場合、繋ぎ部分の情報として、前記第1と第2の記録メディアの両方にそれぞれオーバーラップ期間記録情報を記録する手段と、
前記第１の記録メディアの再生用管理情報に対して、前記オーバーラップ期間記録情報の開始位置を示すエントリーポイント情報を記録する手段と、
前記第２の記録メディアの再生用管理情報に対して、前記オーバーラップ期間記録情報の終了位置を示すエントリーポイント情報を記録し、前記第2の記録メディアに記録されている前記オーバーラップ期間記録情報をスキップさせるためのスキップ処理用情報として用いる手段と
を具備したことを特徴とする複数の記録メディアの映像記録再生装置。
【請求項４】
前記第１の記録メディアは、前記情報記録再生装置に対してリムーバブルな光ディスクであり、前記第２の記録メディアは、前記情報記録再生装置に内蔵されたハードディスクであることを特徴とする請求項３記載の複数の記録メディアの映像記録再生装置。
【手続補正２】
【補正対象書類名】明細書
【補正対象項目名】００６４
【補正方法】変更
【補正の内容】
【００６４】
ステップＢ９において、現在地点よりも後のエントリーポイントがない場合には、タイトルの末尾まで移動することになる。尚、ステップB３から、DVD-RAM再生モードに移行した場合にも、再生キー操作があったかどうかを判定する（ステップB１１）。再生キーの操作があった場合には、マイクロコンピュータブロック３０は、DVD-RAMの管理情報からタイトルの先頭アドレスを認識し（ステップB１２）、先頭アドレスからの再生を開始する（ステップB１３）。
【手続補正３】
【補正対象書類名】図面
【補正対象項目名】図４
【補正方法】変更
【補正の内容】
【図４】
2002281436.tif 000001
【手続補正書】
【提出日】平成16年5月24日(2004.5.24)
【手続補正１】
【補正対象書類名】明細書
【補正対象項目名】特許請求の範囲
【補正方法】変更
【補正の内容】
【特許請求の範囲】
【請求項１】
モータ駆動装置の大電流保護装置であって、
（ａ）電圧源と、
（ｂ）前記モータ駆動装置を通る電流を検知して、その検知された電流に応答する電圧を出力するように構成された電流センサと、
（ｃ）出力を備えるコンパレータであって、前記電流センサの出力が第１の基準電圧を超えている間に、前記コンパレータの出力において低電圧を発生するように構成された、コンパレータと、
（ｄ）入力、出力、及びベースを備えるスイッチであって、前記コンパレータの出力における低電圧によって前記スイッチを閉じるように前記ベースが付勢され、前記スイッチの前記入力と前記出力との間の電気的な接続を提供し、前記スイッチの前記入力が電圧源に接続される、スイッチと、及び
（ｅ）前記スイッチの出力が第２の基準電圧を超えている間に、前記モータ駆動装置を抑止するように構成された抑止装置とからなる、大電流保護装置。
【請求項２】
前記スイッチの出力に接続され、前記スイッチが開いている間に、前記スイッチの出力における電圧を減衰させるように構成されている遅延回路をさらに含む、請求項１に記載の大電流保護装置。
【請求項３】
大電流からモータ駆動装置を保護するための方法であって、
（ａ）前記モータ駆動装置を通る電流を検知するステップと、
（ｂ）前記検知された電流に応答する第１の電圧を出力するステップと、
（ｃ）前記第１の電圧が第１の基準電圧を超えている間に、第２の低い電圧を発生させるステップと、
（ｄ）前記第２の低い電圧に応答して、電圧源と前記スイッチの出力との間を接続するためにスイッチを閉じるステップと、及び
（ｅ）前記スイッチの出力が、第２の基準電圧を超えている間に、前記モータ駆動装置を抑止するステップとからなる、方法。
【手続補正書】
【提出日】平成16年9月21日(2004.9.21)
【手続補正１】
【補正対象書類名】明細書
【補正対象項目名】特許請求の範囲
【補正方法】変更
【補正の内容】
【特許請求の範囲】
【請求項１】
外部の通信ネットワークと無線を用いて情報の送受信を行う無線部と、
あらかじめ登録された音声情報および前記無線部を介して前記通信ネットワークから伝達された音声情報を含む音源を再生する音源部と、
前記無線部を介して外部の通信ネットワークに送信される送話音声を含む音声情報が入力される音声入力部と、
前記無線部により受信された無線信号を復調することにより抽出された受話音声、前記音源部により再生された音源を含む音声情報を出力する音声出力部と、
前記音声入力部から入力された音声情報を前記音声出力部に伝達する側音経路に設けられて、前記音声入力部から入力され、前記側音経路を経由して前記音声出力部に出力される音声情報の音量を切り替える側音音量切替部と、
前記無線部の動作状態に応じて前記側音音量切替部を制御する制御部とを設けたことを特徴とするカラオケ機能搭載携帯電話機。
【請求項２】
音源部は、カラオケ用のメロディを発生する音源発生手段、音声入力部から側音経路を経由して入力された音声と前記音源発生手段から発生されたメロディを重畳する音声重畳手段を含むことを特徴とする請求項１に記載のカラオケ機能搭載携帯電話機。
【請求項３】
制御部は、通話中か否かを判定する通話判定手段を有し、この通話判定手段により、無線部の動作状態が通話中であると判定された場合に、音声入力部から入力された音声の音量を小さくし、前記無線部の動作状態が通話中でないと判定された場合に、前記音声入力部から入力された音声の音量を大きくするように、側音音量切替部を制御することを特徴とする請求項１に記載のカラオケ機能搭載携帯電話機。
【請求項４】
制御手段は、音源出力部より出力されたメロディに同期した歌詞を表示手段に表示することを特徴とする請求項２に記載のカラオケ機能搭載携帯電話機。
【請求項５】
音源部は、外国語練習用の音声を発生する音源発生手段、音声入力部から側音経路を経由して入力された音声と前記音源発生手段から発生された外国語練習用の音声を重畳する音声重畳手段を含むことを特徴とする請求項１に記載のカラオケ機能搭載携帯電話機。
【請求項６】
音声入力部から入力した音声の側音音量を測定する音量測定手段を備え、制御部は、上記音量測定手段により測定された音量に応じて上記音声入力部から入力した音声の側音音量を切り替えることを特徴とする請求項１に記載のカラオケ機能搭載携帯電話機。
【請求項７】
音声入力部から入力した音声の側音音量を操作に応じて調整する操作手段を備えたことを特徴とする請求項１に記載のカラオケ機能搭載携帯電話機。
【請求項８】
カラオケ用のメロディを発生すると共に、操作手段による操作に応じて拍手や歓声等の効果音を発生する音源発生手段を備えたことを特徴とする請求項２または５に記載のカラオケ機能搭載携帯電話機。
【請求項９】
音声入力部から入力した音声にエコーまたはボイスチェンジ等の加工する音声加工手段を備えたことを特徴とする請求項１に記載のカラオケ機能搭載携帯電話機。
【請求項１０】
音声入力部から入力した音声と音源発生手段から発生されたメロディとを加算する音声加算手段と、上記音声加算手段により加算された音声を記憶する記憶手段と、上記記憶手段により記憶され、加算された音声を出力する音声出力手段とを備えたことを特徴とする請求項２または５に記載のカラオケ機能搭載携帯電話機。
【請求項１１】
記憶手段により記憶され、加算された音声を変調し、送信する送信手段を備えたことを特徴とする請求項９に記載のカラオケ機能搭載携帯電話機。
【手続補正書】
【提出日】平成17年4月21日(2005.4.21)
【手続補正１】
【補正対象書類名】明細書
【補正対象項目名】特許請求の範囲
【補正方法】変更
【補正の内容】
【特許請求の範囲】
【請求項１】
Ｒ，Ｇ，Ｂの各色成分に対応した３ライン型固体撮像素子を備え、各色成分信号のライン単位での位置ずれをライン遅延処理によって補正するとともに、走査速度の増減に伴って生じる１ライン分未満の位置ずれを２点間補間処理によって補正する原稿読取装置において、
２点間補間処理を施す補間処理回路が前記３ライン型固体撮像素子からのＲ色成分信号の出力系およびＢ色成分信号の出力系に設けられている
ことを特徴とする原稿読取装置。
【請求項２】
Ｒ，Ｇ，Ｂの各色成分に対応した３ライン型固体撮像素子を備え、各色成分信号のライン単位での位置ずれをライン遅延処理によって補正するとともに、走査速度の増減に伴って生じる１ライン分未満の位置ずれを２点間補間処理によって補正する原稿読取装置において、
前記３ライン型固体撮像素子からの各色成分信号の出力系のそれぞれに設けられた２点間補間処理を施すための補間処理回路と、
Ｇ色成分信号の出力系における補間処理回路に２点間補間処理を行わせるか否かを決定する制御回路と
を備えることを特徴とする原稿読取装置。
【請求項３】
前記制御回路は、白黒モード対応時には前記Ｇ色成分信号の出力系における補間処理回路に２点間補間処理を行わせない
ことを特徴とする請求項２記載の原稿読取装置。
【請求項４】
ライン遅延処理および２点間補間処理によって位置ずれが補正された後の各色成分信号を当該各色成分信号とは異なる色空間の信号に変換する色変換手段を備える
ことを特徴とする請求項１〜４のいずれか１項に記載の原稿読取装置。
【請求項５】
前記３ライン型固体撮像素子における３ラインの中央にＧ色成分対応の固体撮像素子が、前記Ｇ色成分対応の固体撮像素子よりも先行して読み取りを行う位置に第１色成分対応の固体撮像素子が、前記Ｇ色成分対応の固体撮像素子よりも後に読み取りを行う位置に第２色成分対応の固体撮像素子がそれぞれ配置されている場合に、前記第１色成分対応の固体撮像素子による前ライン分のデータをＤ１ａ、現データをＤ１ｂとし、前記第２色成分対応の固体撮像素子による前ライン分のデータをＤ２ａ、現データをＤ２ｂとし、それぞれの色成分の補間比率をＲとすると、２点間補間処理を行うのにあたって、第１色成分の２点間補間処理後のデータＤ１ｘをＤ１ｘ＝Ｒ×Ｄ１ａ＋（１−Ｒ）×Ｄ１ｂとして算出し、第２色成分の２点間補間処理後のデータＤ２ｘをＤ２ｘ＝（１−Ｒ）×Ｄ２ａ＋Ｒ×Ｄ２ｂとして算出する
ことを特徴とする請求項１〜５のいずれか１項に記載の原稿読取装置。
【手続補正２】
【補正対象書類名】明細書
【補正対象項目名】００１２
【補正方法】変更
【補正の内容】
【００１２】
【課題を解決するための手段】
本発明は、上記目的を達成するために案出された原稿読取装置である。すなわち、Ｒ，Ｇ，Ｂの各色成分に対応した３ライン型固体撮像素子を備え、各色成分信号のライン単位での位置ずれをライン遅延処理によって補正するとともに、走査速度の増減に伴って生じる１ライン分未満の位置ずれを２点間補間処理によって補正する原稿読取装置において、２点間補間処理を施す補間処理回路が前記３ライン型固体撮像素子からのＲ色成分信号の出力系およびＢ色成分信号の出力系に設けられていることを特徴とするものである。
【手続補正３】
【補正対象書類名】明細書
【補正対象項目名】００１３
【補正方法】変更
【補正の内容】
【００１３】
上記構成の原稿読取装置によれば、Ｒ色成分信号の出力系およびＢ色成分信号の出力系に２点間補間処理を施す補間処理回路が設けられているので、Ｇ色成分信号を基準にして２点間補間処理を行い、各色成分信号の間の位置ずれ（ギャップ）を補正することになる。したがって、２点間補間処理を行っても、Ｇ色成分信号については、その処理における近似によって減衰してしまうことがない。
【手続補正書】
【提出日】平成16年11月9日(2004.11.9)
【手続補正１】
【補正対象書類名】明細書
【補正対象項目名】特許請求の範囲
【補正方法】変更
【補正の内容】
【特許請求の範囲】
【請求項１】
音楽療法支援装置であって、次の事項（11）〜（15）を充足する。
（11）複数の楽曲のそれぞれに音楽生成データと歌詞描出データとを対応づけして適宜な記憶資源に格納している。
（12）任意の楽曲を指定する旨のユーザ入力を受け付けるユーザインタフェースと、このインタフェースにて指定された楽曲の音楽生成データを処理して音楽を音響出力する音楽出力手段と、前記指定楽曲の歌詞描出データを処理して複数の歌詞文字を含んだ適宜な歌詞画像を前記音楽に同期させながらディスプレイに表示する歌詞描出手段とを備える。
（13）複数の音高のそれぞれに所定の色を対応づけした音高／色対応表を適宜な記憶資源に格納している。
（14）前記指定楽曲の前記歌詞描出データと前記音楽生成データとに基づいて歌詞一文字ごとに該当の伴奏音の音高を特定するとともに、その音高に対応付けされている色を前記対応表により特定することで  当該色を該当の歌詞文字に対応付けする色特定手段を備える。
（15）前記歌詞描出手段は、前記複数の歌詞文字の各文字を前記色特定手段によって特定された色によって適宜に着色するとともに、音響出力中の音楽の進行に合わせて歌詞文字列中の位置を指示するための適宜な修飾表現を加味した歌詞画像を生成する。
【請求項２】
請求項１に記載の音楽療法支援装置であって、次の事項（21）を充足する。
（21）前記色特定手段は、音響出力中の伴奏音の音高に対応する色を特定し、前記歌詞描出手段は、前記ディスプレイの所定領域を前記特定した色によって着色した歌詞画像を生成する。
【請求項３】
請求項１または２に記載の音楽療法支援装置であって、次の事項（31）を充足する。
（31）前記歌詞描出手段は、前記複数の歌詞文字の各文字間を前記音楽生成データにおける該当の伴奏音の音長に応じて適宜に離間した歌詞画像を生成する。
【請求項４】
請求項１または２に記載の音楽療法支援装置であって、次の事項（41）を充足する。
（41）前記歌詞描出手段は、前記歌詞描出データの各歌詞文字に対応付けされている歌詞文字列中の位置を指示するタイミングを特定するための情報に基づいて歌詞文字列中の各文字間を適宜に離間した歌詞画像を生成する。
【請求項５】
請求項１〜４のいずれかにおいて、請求項１に記載の事項（14）を次の事項（51）に置換したことを特徴とする音楽療法支援装置。
（51）前記歌詞描出データの各歌詞文字に音高情報が対応付けされており、この音高情報と前記音高／色対応表とに基づいて、各歌詞文字に所定の色を対応付けする色特定手段を備える。
【手続補正書】
【提出日】平成16年11月29日(2004.11.29)
【手続補正１】
【補正対象書類名】明細書
【補正対象項目名】特許請求の範囲
【補正方法】変更
【補正の内容】
【特許請求の範囲】
【請求項１】
融点が１２℃から４２℃の油脂を９重量％から１９重量％含み、味噌を４３重量％から６３重量％含む、２５℃での粘度が５，８００から２５，５００ｍＰａ・ｓであることを特徴とするたれ漬け用液状調味料。
【手続補正２】
【補正対象書類名】明細書
【補正対象項目名】発明の詳細な説明
【補正方法】変更
【補正の内容】
【発明の詳細な説明】
【０００４】        上記課題を解決するために、本発明におけるたれ漬け用液状調味料は、融点が１２℃から４２℃の油脂を９重量％から１９重量％、味噌を４３重量％から６３重量％含み、２５℃での粘度が５，８００から２５，５００ｍＰａ・ｓとする。
【手続補正書】
【提出日】平成16年11月29日(2004.11.29)
【手続補正１】
【補正対象書類名】明細書
【補正対象項目名】特許請求の範囲
【補正方法】変更
【補正の内容】
【特許請求の範囲】
【請求項１】
増粘剤として化工澱粉を２〜５重量％および増粘多糖類０．０
５〜５重量％およびゼラチン０．４〜０．６重量％を含み、糖度を４５〜５３％に調整す
ることにより、ゼラチンによるゲル構造に冷凍耐性を付与した液体調味料。
【手続補正２】
【補正対象書類名】明細書
【補正対象項目名】００１６
【補正方法】変更
【補正の内容】
【００１６】      【実施例２】 次にゼラチンによって付与した粘性の冷凍耐性試験を行なった結果を記載する。糖度を変えて試験を行ない冷凍・解凍後の粘性の変化を確認した。下記レシピーの配合品を８０℃まで加熱した後、粗熱をとり冷凍・解凍試験に使用した。試験の結果より糖度については配合４、配合５の結果が最も好ましい物であった。よってゼラチンによって得られたゲル構造に冷凍耐性を持たせられる糖度として４５％〜５３％の間がもっとも好ましいものと考えられる。
【手続補正書】
【提出日】平成17年1月17日(2005.1.17)
【手続補正１】
【補正対象書類名】明細書
【補正対象項目名】特許請求の範囲
【補正方法】変更
【補正の内容】
【特許請求の範囲】
【請求項１】
光学活性グリセロールα−モノカルボン酸エステルの合成活性能を有する酵素の存在下、グリセロールをアシル供与体でエステル化を行うことによる光学活性グリセロールα−モノカルボン酸エステルの製造方法において、アシル供与体に、無水n-吉草酸又は無水ピバル酸を使用することを特徴とする光学活性グリセロールα−モノカルボン酸エステルの製造方法。
【請求項２】
酵素が微生物由来のものである請求項１に記載の方法。
【請求項３】
微生物がアスペルギルス（Aspergillus） 属、リゾプス（Rhizopus）属、ペニシリウム（Penicillium） 属、ゲオトリカム（Geotrichum）属、ムコール（Mucor） 属、リゾムコール（Rhizomucor）属、フミコラ（Humicola）属、シュードモナス（Pseudomonas） 属、バークホーデリア（Burkholderia）属、キャンディダ（Candida） 属、ブレビバクテリウム（Brevibacterium）属、コリネバクテリウム（Corynebacterium） 属、ノカルディア（Nocardia）属、セデセア（Cedecea） 属、バチルス（Bacillus）属、プロテウス（Proteus） 属又はメチロバクテリウム（Methylobacterium）属の群から選ばれる少なくとも１種である請求項２に記載の方法。
【手続補正２】
【補正対象書類名】明細書
【補正対象項目名】０００９
【補正方法】変更
【補正の内容】
【０００９】
すなわち、本発明は、光学活性グリセロールα−モノカルボン酸エステルの合成活性能を有する酵素の存在下、グリセロールをアシル供与体でエステル化を行うことによる光学活性グリセロールα−モノカルボン酸エステルの製造方法において、アシル供与体に、無水n-吉草酸又は無水ピバル酸を使用することを特徴とする光学活性グリセロールα−モノカルボン酸エステルの製造方法、である。
【手続補正３】
【補正対象書類名】明細書
【補正対象項目名】００１０
【補正方法】変更
【補正の内容】
【００１０】
【発明の実施の形態】
以下、本発明を詳細に説明する。
本発明において用いるアシル供与体としては、活性アシル供与体が好ましく、例えば、一般式（Ｉ）で表される脂肪族又は芳香族カルボン酸の酸無水物が挙げられる。
【化１】
2002000295.tif 000001
（式中、Rは置換又は非置換の脂肪族炭化水素基又は芳香族炭化水素基である。）
【手続補正４】
【補正対象書類名】明細書
【補正対象項目名】００１１
【補正方法】変更
【補正の内容】
【００１１】
上記一般式（Ｉ）において、Ｒで示される脂肪族炭化水素基は、飽和、不飽和のいずれでもよく、炭素原子数１〜17のものが好ましい。また、Ｒで示される芳香族炭化水素基としては、フェニル、t-ブチルフェニル等のアリール基、アリールアルキル基、フェニルアリル等のアリールアルケニル基等が挙げられる。また、Ｒで示される脂肪族炭化水素基及び芳香族炭化水素基は、その炭素原子に結合する水素原子の一部又は全部が適当な置換基で置換されていてもよい。脂肪族炭化水素基の置換基としては、例えば、塩素等のハロゲンが挙げられる。芳香族炭化水素基の置換基としては、例えば、アルキル、塩素等のハロゲン、ニトロ等が挙げられる。具体的には、無水酢酸、無水プロピオン酸、無水n-酪酸、無水iso-酪酸、無水n-吉草酸、無水iso-吉草酸、無水ピバル酸、無水マイレン酸、無水安息香酸、無水フタル酸等の酸無水物が例示できる。
【手続補正書】
【提出日】平成17年9月7日(2005.9.7)
【手続補正１】
【補正対象書類名】明細書
【補正対象項目名】特許請求の範囲
【補正方法】変更
【補正の内容】
【特許請求の範囲】
【請求項１】
遊技者が所定の遊技を行うことが可能な遊技機であって、
遊技の進行を制御する遊技制御手段を含み、
前記遊技制御手段は、遊技機への電力供給が停止する際に所定の電力供給停止時処理を行うことが可能であり、
前記遊技制御手段が所定のデータを出力するための複数の出力ポートが設けられ、
前記複数の出力ポートにはそれぞれアドレスが割り当てられており、
前記遊技制御手段は、前記電力供給停止時処理にて、前記複数の出力ポートに出力されたデータをクリアする出力ポートクリア処理を行うことが可能であり、
前記出力ポートクリア処理では、クリアする出力ポートのアドレスが、所定のデータテーブルを参照することによって設定される
ことを特徴とする遊技機。
【請求項２】
所定のデータテーブルには、出力ポートに設定されるデータも格納される
請求項１記載の遊技機。
【請求項３】
出力ポートクリア処理では、クリアデータを出力ポートに出力する処理が、ポートの数に応じた回数繰り返される
請求項１または請求項２記載の遊技機。
【請求項４】
所定のデータテーブルには、クリアデータを出力する処理の繰り返し回数を示す回数データも格納される
請求項１から請求項３のうちいずれかに記載の遊技機。
【請求項５】
出力ポートクリア処理によって、制御に関わる情報の出力データがクリアされる
請求項１から請求項４のうちいずれかに記載の遊技機。
【請求項６】
出力ポートクリア処理によって、可変入賞球装置の駆動が停止する
請求項１から請求項５のうちいずれかに記載の遊技機。
【請求項７】
複数の出力ポートには、遊技制御手段から送出されるコマンドデータを出力するための出力ポートが含まれ、
出力ポートクリア処理によって、前記遊技制御手段からのコマンドデータがクリアされる
請求項１から請求項６のうちいずれかに記載の遊技機。
【手続補正２】
【補正対象書類名】明細書
【補正対象項目名】００１０
【補正方法】変更
【補正の内容】
【００１０】
【課題を解決するための手段】
本発明による遊技機は、遊技者が所定の遊技を行うことが可能な遊技機であって、遊技の進行を制御する遊技制御手段を含み、遊技制御手段は、遊技機への電力供給が停止する際に所定の電力供給停止時処理を行うことが可能であり、遊技制御手段が所定のデータを出力するための複数の出力ポートが設けられ、複数の出力ポートにはそれぞれアドレスが割り当てられており、遊技制御手段が、電力供給停止時処理にて、複数の出力ポートに出力されたデータをクリアする出力ポートクリア処理を行うことが可能であり、出力ポートクリア処理では、クリアする出力ポートのアドレスが、所定のデータテーブルを参照することによって設定されることを特徴とする。
【手続補正３】
【補正対象書類名】明細書
【補正対象項目名】００１１
【補正方法】削除
【補正の内容】
【手続補正４】
【補正対象書類名】明細書
【補正対象項目名】００１７
【補正方法】変更
【補正の内容】
【００１７】
複数の出力ポートには、遊技制御手段から送出されるコマンドデータを出力するための出力ポートが含まれ、出力ポートクリア処理によって、遊技制御手段からのコマンドデータがクリアされることが好ましい。
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】削除
【補正の内容】
【手続補正７】
【補正対象書類名】明細書
【補正対象項目名】０２１５
【補正方法】変更
【補正の内容】
【０２１５】
【発明の効果】
以上のように、本発明によれば、遊技制御手段は、遊技機への電力供給が停止する際に所定の電力供給停止時処理を行うことが可能であり、遊技制御手段が所定のデータを出力するための複数の出力ポートが設けられ、複数の出力ポートにはそれぞれアドレスが割り当てられており、遊技制御手段が、電力供給停止時処理にて、複数の出力ポートに出力されたデータをクリアする出力ポートクリア処理を行うことが可能であり、出力ポートクリア処理では、クリアする出力ポートのアドレスが、所定のデータテーブルを参照することによって設定されるように構成したので、出力ポートのクリア処理を迅速に行うことができるとともに、出力ポートクリア処理に関するプログラム容量が削減される効果がある。また、各電気部品の作動状態を、保存された遊技状態と矛盾しないようにすることができる。
【手続補正８】
【補正対象書類名】明細書
【補正対象項目名】０２１６
【補正方法】削除
【補正の内容】
【手続補正９】
【補正対象書類名】明細書
【補正対象項目名】０２２２
【補正方法】変更
【補正の内容】
【０２２２】
複数の出力ポートには、遊技制御手段から送出されるコマンドデータを出力するための出力ポートが含まれ、出力ポートクリア処理によって、遊技制御手段からのコマンドデータがクリアされるように構成されている場合には、コマンドデータの出力状態が継続してしまうようなことはない。
【手続補正１０】
【補正対象書類名】明細書
【補正対象項目名】０２２３
【補正方法】削除
【補正の内容】
【手続補正１１】
【補正対象書類名】明細書
【補正対象項目名】０２２４
【補正方法】削除
【補正の内容】
【手続補正書】
【提出日】平成16年6月3日(2004.6.3)
【手続補正１】
【補正対象書類名】明細書
【補正対象項目名】特許請求の範囲
【補正方法】変更
【補正の内容】
【特許請求の範囲】
【請求項１】
遊技盤に配設された入賞口に入賞した遊技球を検出する入賞検出センサと、
遊技球が前記入賞口に入賞すると遊技球を排出する排出装置と、
遊技を統括的に制御する遊技制御装置と、
前記遊技制御装置からの制御指令に基づいて前記排出装置を制御する排出制御装置と、
前記排出装置から排出された賞球を検出する賞球検出センサと、を備え、
前記遊技制御装置は、
前記入賞検出センサからの検出信号に基づいて前記排出装置から排出されるべき賞球数を決定する賞球数決定手段と、
前記賞球検出センサにより検出された賞球数を計数する賞球計数手段と、を有する遊技機において、
前記賞球計数手段により所定の送信単位数の賞球排出が計数される毎に賞球排出確認信号を外部に出力する信号出力手段と、
前記賞球計数手段による計数の累積値が前記賞球数決定手段により決定された賞球数の累積値よりも所定数以上大きくなった場合に、賞球排出に関する異常が発生したと判定する異常判定手段と、を備え、
前記異常判定手段による異常判定がなされた場合には、前記排出装置による賞球排出を禁止する処理を実行し、
該排出装置に賞球排出を禁止させる処理が実行されている間であっても、前記賞球計数手段による賞球計数処理、および前記信号出力手段による信号出力処理を継続して実行することを特徴とする遊技機。
【手続補正２】
【補正対象書類名】明細書
【補正対象項目名】０００５
【補正方法】変更
【補正の内容】
【０００５】
【課題を解決するための手段】
本発明では、遊技盤に配設された入賞口に入賞した遊技球を検出する入賞検出センサと、遊技球が前記入賞口に入賞すると遊技球を排出する排出装置と、遊技を統括的に制御する遊技制御装置と、前記遊技制御装置からの制御指令に基づいて前記排出装置を制御する排出制御装置と、前記排出装置から排出された賞球を検出する賞球検出センサと、を備え、前記遊技制御装置は、前記入賞検出センサからの検出信号に基づいて前記排出装置から排出されるべき賞球数を決定する賞球数決定手段と、前記賞球検出センサにより検出された賞球数を計数する賞球計数手段と、を有する遊技機において、前記賞球計数手段により所定の送信単位数の賞球排出が計数される毎に賞球排出確認信号を外部に出力する信号出力手段と、前記賞球計数手段による計数の累積値が前記賞球数決定手段により決定された賞球数の累積値よりも所定数以上大きくなった場合に、賞球排出に関する異常が発生したと判定する異常判定手段と、を備え、前記異常判定手段による異常判定がなされた場合には、前記排出装置による賞球排出を禁止する処理を実行し、該排出装置に賞球排出を禁止させる処理が実行されている間であっても、前記賞球計数手段による賞球計数処理、および前記信号出力手段による信号出力処理を継続して実行する。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】変更
【補正の内容】
【００１０】
【発明の作用および効果】
本発明では、異常判定手段による異常判定がなされた場合には、排出装置による賞球排出を禁止する処理を実行し、排出装置に賞球排出を禁止させる処理が実行されている間であっても、賞球計数手段による賞球計数処理、および信号出力手段による信号出力処理を継続して実行する。したがって、排出機構や累積記憶手段に異常があって異常対応処理が実行されている間も、賞球排出確認信号の送信先（例えば実施の形態の管理装置）には実際に検出された賞球排出数が送信され続けることになり、送信先では異常対応処理中に排出された賞球数についても正しく把握できる。
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】０１２２
【補正方法】変更
【補正の内容】
【０１２２】
図９のステップＳ５１〜ステップＳ５５では、それぞれ、図６のステップＳ１〜ステップＳ５と同様の処理がなされる。
【手続補正１３】
【補正対象書類名】明細書
【補正対象項目名】０１２３
【補正方法】変更
【補正の内容】
【０１２３】
ステップＳ５６では、確認カウンタが０より大きな値であるか否かの判定がなされ、確認カウンタ値＞０であればステップＳ５７に進み、確認カウンタ値＞０でなければステップＳ５８に進む。
【手続補正書】
【提出日】平成17年6月7日(2005.6.7)
【手続補正１】
【補正対象書類名】明細書
【補正対象項目名】特許請求の範囲
【補正方法】変更
【補正の内容】
【特許請求の範囲】
【請求項１】
遊技盤に対して前後方向に開閉駆動される開閉扉を備えた電動役物と、
遊技球が図柄作動口に入球することに起因して所定の図柄を可変表示させる可変表示手段と、
該可変表示手段に表示される図柄が特定の図柄で確定する第１の条件、又は、遊技球が特定作動口に入球することに起因して前記電動役物を予め定められた所定時間作動させ遊技者に有利な遊技状態とし且つ遊技球が前記電動役物内に設けた特定領域を通過する第２の条件のいずれかに起因して、遊技者に有利な特別遊技状態として前記電動役物を連続作動させる制御手段と、
を備えたことを特徴とする遊技機。
【請求項２】
前記図柄作動口及び前記特定作動口に各々表示部を設け、該表示部に異なる態様で前記作動口の作動を表示することを特徴とする請求項１の遊技機。
【請求項３】
前記２種類の作動口に対応して異なる前記各々の表示部に異なる色彩で表示することを特徴とする請求項２の遊技機。
【請求項４】
遊技球が前記作動口に入球したとき、前記表示部を前記電動役物が前記特別遊技状態で連続作動中は前記表示部を消灯させ、前記電動役物が前記特別遊技状態でないときは、点灯させることを特徴とする請求項１の遊技機。
【請求項５】
前記図柄作動口及び前記特定作動口に表示部を設け、通常時は点灯させ、遊技球の入球に応じて前記いずれかの作動口が作動すると、該作動口以外の作動口の前記表示部を消灯させることを特徴とする請求項１の遊技機。
【請求項６】
前記図柄作動口の作動に応じて前記可変表示手段に図柄を可変表示させる図柄可変表示実行手段と、
前記特定作動口の作動に応じて前記開閉扉を開閉する開閉実行手段と、
前記図柄の可変表示又は前記開閉扉の開放の起因となる前記２種類の作動口の作動のいずれかを変更する作動起因変更手段と、
該作動起因変更手段に応じて、前記いずれの作動口として作動しているかを表示する作動表示手段と、
を設けたことを特徴とする請求項１の遊技機。
【請求項７】
前記特定領域の領域幅を可変とし、
前記第１の条件が前記起因となるときと、前記第２の条件が前記起因となるときとで、該領域への遊技球の通過率を異なるように設定したことを特徴とする請求項１の遊技機。
【請求項８】
前記開閉扉から入球する遊技球を全て１つの通過口へ誘導し、
該通過口への誘導に起因して数の抽選を実行し、
前記第１の条件が前記起因となるときと、前記第２の条件が前記起因となるときとで、該抽選確率を異ならせ、
前記抽選結果に起因して、前記連続作動の継続確率を決定することを特徴とする請求項１の遊技機。
【請求項９】
前記特別遊技を、前記第１の条件と前記第２の条件とにより異ならせることを特徴とする請求項１ないし８いずれかに記載の遊技機。
【請求項１０】
前記第２の条件により前記特別遊技を実行する場合には、
前記電動役物の１回の開放動作を、所定時間毎に開閉を繰り返す動作とすることを特徴とする請求項９に記載の遊技機。
【手続補正２】
【補正対象書類名】明細書
【補正対象項目名】０００５
【補正方法】変更
【補正の内容】
【０００５】
【課題を解決するための手段】
前記課題を解決するため請求項１に記載の遊技機は、遊技盤に対して前後方向に開閉駆動される開閉扉を備えた電動役物と、遊技球が図柄作動口に入球することに起因して所定の図柄を可変表示させる可変表示手段と、該可変表示手段に表示される図柄が特定の図柄で確定する第１の条件、又は、遊技球が特定作動口に入球することに起因して前記電動役物を予め定められた所定時間作動させ遊技者に有利な遊技状態とし且つ遊技球が前記電動役物内に設けた特定領域を通過する第２の条件のいずれかに起因して、遊技者に有利な特別遊技状態として前記電動役物を連続作動させる制御手段と、を備えたことを特徴とする遊技機である。これにより、開閉扉によって従来の羽根部材とは異なる動作を実現し、羽根部材の軌跡に制約を受けない遊技盤面設計を可能とし、さらに、第２種遊技に第１種遊技を融合した創造性豊かな遊技を創造でき、前記課題が好適に解決できる。
【手続補正３】
【補正対象書類名】明細書
【補正対象項目名】００１６
【補正方法】変更
【補正の内容】
【００１６】
請求項１でいう「遊技盤に対して前後方向に開閉駆動される」とは、開閉扉が遊技盤面から突出する構造であれば良く、公知のアタッカーと呼ばれる電動役物を含む。
【手続補正書】
【提出日】平成17年7月29日(2005.7.29)
【手続補正１】
【補正対象書類名】特許請求の範囲
【補正対象項目名】全文
【補正方法】変更
【補正の内容】
【特許請求の範囲】
【請求項１】
ほぼ円筒形の長尺体に１枚または複数枚の光ファイバテープ心線が積層されて収容された光ファイバケーブルであって、
前記光ファイバテープ心線は、光ファイバが複数本並列され、これらの複数本の前記光ファイバの全長が樹脂により一体化されており、前記光ファイバテープ心線の厚さの最大値をＴ（μｍ）、前記光ファイバの外径をｄ（μｍ）としたときに、Ｔ≦ｄ＋４０（μｍ）であり、
前記光ファイバテープ心線の前記樹脂には、隣接する前記光ファイバの間の窪みに応じた凹部が形成されており、
前記光ファイバテープ心線に含まれる前記光ファイバの並列ピッチをＰ（μｍ）、前記光ファイバテープ心線に含まれる前記光ファイバの数の１／２以下である０を含む自然数をｍとしたときに、複数枚の前記光ファイバテープ心線が、隣接した光ファイバテープ心線に対して、前記光ファイバテープ心線の幅方向にｍ×Ｐ＋Ｐ／２（μｍ）だけずれて積層されていることを特徴とする光ファイバケーブル。
【請求項２】
請求項１に記載の光ファイバケーブルであって、
前記光ファイバテープ心線は、光ファイバが複数本並列され、これらの複数本の前記光ファイバの全長及び並列した状態の全周が樹脂により覆われて一体化されており、前記光ファイバテープ心線の厚さの最大値をＴ（μｍ）、前記光ファイバの外径をｄ（μｍ）としたときに、Ｔ≦ｄ＋４０（μｍ）であることを特徴とする光ファイバケーブル。
【請求項３】
請求項１または請求項２に記載の光ファイバケーブルであって、
前記ｍが０であることを特徴とする光ファイバケーブル。
【請求項４】
請求項１から請求項３の何れか１項に記載の光ファイバケーブルであって、
複数枚の前記光ファイバテープ心線が、隣接した前記光ファイバテープ心線に対して幅方向に順次交互にずれて積層されていることを特徴とする光ファイバケーブル。
【請求項５】
請求項１から請求項４の何れか１項に記載の光ファイバケーブルであって、
前記光ファイバテープ心線は、前記凹部の深さをＹ（μｍ）としたときに、（Ｔ−ｄ）／２Ｙ≦４．０であることを特徴とする光ファイバケーブル。
【請求項６】
請求項１から請求項５の何れか１項に記載の光ファイバケーブルであって、
前記光ファイバテープ心線は、Ｔ≦ｄ＋３０（μｍ）であることを特徴とする光ファイバケーブル。
【請求項７】
請求項１から請求項６の何れか１項に記載の光ファイバケーブルであって、
前記光ファイバテープ心線は、前記凹部における前記光ファイバテープ心線の厚さをｇ（μｍ）としたときに、ｇ≦ｄであることを特徴とする光ファイバケーブル。
【請求項８】
請求項７に記載の光ファイバケーブルであって、
前記光ファイバテープ心線は、ｇ≦０．８ｄであることを特徴とする光ファイバケーブル。
【請求項９】
請求項１から請求項８の何れか１項に記載の光ファイバケーブルであって、
前記光ファイバテープ心線は、隣接した前記光ファイバ同士が互いに接触して配置されていることを特徴とする光ファイバケーブル。
【請求項１０】
請求項１から請求項８の何れか１項に記載の光ファイバケーブルであって、
前記光ファイバテープ心線は、隣接した少なくとも２本の前記光ファイバ同士が、互いに接触しておらず、かつ、１０（μｍ）以下の間隔を有して配置されていることを特徴とする光ファイバケーブル。
【請求項１１】
請求項１から請求項１０の何れか１項に記載の光ファイバケーブルであって、
前記光ファイバテープ心線に含まれる前記光ファイバの並列ピッチをＰ（μｍ）、前記光ファイバテープ心線の幅をＷ（μｍ）、前記光ファイバテープ心線の積層枚数をｎ、隣接する前記光ファイバテープ心線同士のオーバーラップ長さをｚ（μｍ）とすると、
光ファイバテープ心線の積層枚数ｎが偶数のときは下記の式（１）を満足し、ｎが奇数のときは下記の式（２）を満足することを特徴とする光ファイバケーブル。
（ｎ−１）ｚ｛（ｎ−１）ｚ−２ｎＴ｝＋ＷＰ＋Ｐ２／４≦０  ・・・（１）
ｚ≦２ｎＴ／（ｎ−１）  ・・・（２）
【請求項１２】
請求項１から請求項１１の何れか１項に記載の光ファイバケーブルであって、
前記ほぼ円筒形の長尺体内に収容された前記光ファイバテープ心線が、油状充填物とともに収容されていることを特徴とする光ファイバケーブル。
【請求項１３】
請求項１から請求項１１の何れか１項に記載の光ファイバケーブルであって、
前記ほぼ円筒形の長尺体内に収容された前記光ファイバテープ心線が、繊維状フィラーとともに収容されていることを特徴とする光ファイバケーブル。
【請求項１４】
請求項１から請求項１１の何れか１項に記載の光ファイバケーブルであって、
前記光ファイバテープ心線が収容されたほぼ円筒形の長尺体が抗張力体を中心として、長手方向で、交互に反転しながら撚られていることを特徴とする光ファイバケーブル。
【請求項１５】
請求項１から請求項１１の何れか１項に記載の光ファイバケーブルであって、
前記光ファイバテープ心線が収容されたほぼ円筒形の長尺体が抗張力体を中心として、長手方向で、一方向に撚られていることを特徴とする光ファイバケーブル。